(57)【要約】【課題】設営個所を選ばないで、誰でも短時間で簡単、確実に設営でき、開閉操作も極めて簡単な開閉式テントを提供すること。【解決手段】上記課題を解決するために本発明の開閉式テント１は、地面に対して水平に設置されるベースフレーム３と、ベースフレーム３に対して設けられる支点ブラケット９と、支点ブラケット９の上部に接続され、垂直に立ち上げられる固定フレーム５と、支点ブラケット９に対して回動自在に接続される複数本の可動フレーム７と、これらを覆い隠すように張設される幕体２３とを備え、各可動フレーム７が支点ブラケット９に対して設けられる回動穴を中心として回動することによって、可動フレーム７に対して保持されている幕体２３の可動部２７が蛇腹状に開閉するように構成した。【選択図】　　　　　　　図１
2004124486.tif 000002
【特許請求の範囲】
【請求項１】
地面に対して水平に設置されるベースフレームと、ベースフレームに対して設けられる支点ブラケットと、支点ブラケットの上部に接続され、垂直に立ち上げられる固定フレームと、支点ブラケットに対して回動自在に接続される複数本の可動フレームと、これらを覆い隠すように張設される幕体とを備え、各可動フレームが支点ブラケットに対して設けられる回動穴を中心として回動することによって、可動フレームに対して保持されている幕体の可動部が蛇腹状に開閉するように構成したことを特徴とする開閉式テント。
【請求項２】
請求項１に記載の開閉式テントにおいて、固定フレームは門型の２本の垂直フレームと、２本の垂直フレームの上部側方を保持する水平補強フレームと、水平補強フレームと支点ブラケットとを連接する筋交い様の作用をする傾斜補強フレームとを備えていることを特徴とする開閉式テント。
【請求項３】
請求項１または２に記載の開閉式テントにおいて、支点ブラケットは側面視略直角三角形状の平板状の部材であり、可動フレームの各々に対応した複数の回動穴が支点ブラケットの斜辺に沿うように配設されていることを特徴とする開閉式テント。
【請求項４】
請求項１〜３のいずれかに記載の開閉式テントにおいて、可動フレームは門型形状をしており、固定フレームの前面側と後面側に４本ずつ設けられ、収納時にはこれらすべての可動フレームが上方に回動し、収縮状態となって、固定フレームの前面及び後面を開放すると共に、使用時には各可動フレームがほぼ等間隔となるよう下方に向けて回動し、展開状態となって、固定フレームの前面及び後面を遮蔽するように構成したことを特徴とする開閉式テント。
【請求項５】
請求項１〜４のいずれかに記載の開閉式テントにおいて、幕体は固定フレームに対して張設される固定部と、可動フレームに対して張設される可動部とから構成されており、収納時には可動部が蛇腹状に折り畳まれて固定部に馴染んだ門型形状をなすと共に、使用時には可動部が扇を広げたように展開状態になって、固定部によって形成される側面視矩形状の収納空間の前後に、側面視扇形状の拡張空間を形成するように構成したことを特徴とする開閉式テント。
【請求項６】
請求項１〜５のいずれかに記載の開閉式テントにおいて、固定フレームと可動フレームはベースフレームに対して着脱自在に設けられており、保管時には幕体を取り外して、これら各フレームを分解状態で保管し得るように構成したことを特徴とする開閉式テント。
【発明の詳細な説明】
【０００１】
【発明の属する技術分野】
本発明は、例えば非常時の仮設テントや車庫あるいは物置等に使用でき、設営が極めて簡単で短時間且つ少人数で設営を行うことのできる開閉式テントに関するものである。
【０００２】
【従来の技術】
非常時やキャンプ等の際に使用される仮設テント１０１としては、図５（ａ）に示すような三角柱を横に倒したような形状のもの、図５（ｂ）に示すような蒲鉾形状のもの、図５（ｃ）に示すようなドーム型のもの、図５（ｄ）に示すような家型のもの等種々あるが、何れも組立式である。
これらを組み立てるには先ず支柱となるポールを立て、更にこのポールを補強する補強フレームを適宜接続してテントの骨組みを組み立てる。次にこの骨組みに対して吊持ち式や引掛け式のフック等を係止してテント本体１０３を取り付ける。
そしてテント本体１０３の前面、後面及び側面あるいはこれらのコーナ部から張り綱と呼ばれるロープ１０５を外方に向けて緊張状態で引き出し、その先端をペグと呼ばれる係止具１０７を使用して、これを地中に打ち込むことで固定している。
【０００３】
【発明が解決しようとする課題】
しかし設営個所の地面にコンクリートが打設されていたり、石ころだらけである場合にはペグを地中に打ち込むことは容易でなく、例え打ち込んだとしてもぐら付いてしまいテント本体を支えるのに充分な固定作用は期待できない。
また、テントの組み立てには所定の手順と要領が不可欠であり、一定の経験が必要である。また短時間でしかも比較的大型のテントを組み立てるには多数の人の協力も欠かせない。
本発明は上記従来の仮設テントの構造を根本から見直し、従来、存在しなかった画期的な構造を採用することにより、誰でも短時間で簡単、確実に設営でき、開閉操作も極めて簡単な開閉式テントを提供することを目的とするものである。
【０００４】
【課題を解決するための手段】
上記課題を解決するために請求項１記載の発明は、地面に対して水平に設置されるベースフレームと、ベースフレームに対して設けられる支点ブラケットと、支点ブラケットの上部に接続され、垂直に立ち上げられる固定フレームと、支点ブラケットに対して回動自在に接続される複数本の可動フレームと、これらを覆い隠すように張設される幕体とを備え、各可動フレームが支点ブラケットに対して設けられる回動穴を中心として回動することによって、可動フレームに対して保持されている幕体の可動部が蛇腹状に開閉するように構成したことを特徴とする開閉式テントである。
【０００５】
請求項２記載の発明は、請求項１に記載の開閉式テントにおいて、固定フレームは門型の２本の垂直フレームと、２本の垂直フレームの上部側方を保持する水平補強フレームと、水平補強フレームと支点ブラケットとを連接する筋交い様の作用をする傾斜補強フレームとを備えていることを特徴とする開閉式テントである。
【０００６】
請求項３記載の発明は、請求項１または２に記載の開閉式テントにおいて、支点ブラケットは側面視略直角三角形状の平板状の部材であり、可動フレームの各々に対応した複数の回動穴が支点ブラケットの斜辺に沿うように配設されていることを特徴とする開閉式テントである。
【０００７】
請求項４記載の発明は、請求項１〜３のいずれかに記載の開閉式テントにおいて、可動フレームは門型形状をしており、固定フレームの前面側と後面側に４本ずつ設けられ、収納時にはこれらすべての可動フレームが上方に回動し、収縮状態となって、固定フレームの前面及び後面を開放すると共に、使用時には各可動フレームがほぼ等間隔となるよう下方に向けて回動し、展開状態となって、固定フレームの前面及び後面を遮蔽するように構成したことを特徴とする開閉式テントである。
【０００８】
請求項５記載の発明は、請求項１〜４のいずれかに記載の開閉式テントにおいて、幕体は固定フレームに対して張設される固定部と、可動フレームに対して張設される可動部とから構成されており、収納時には可動部が蛇腹状に折り畳まれて固定部に馴染んだ門型形状をなすと共に、使用時には可動部が扇を広げたように展開状態になって、固定部によって形成される側面視矩形状の収納空間の前後に、側面視扇形状の拡張空間を形成するように構成したことを特徴とする開閉式テントである。
【０００９】
請求項６記載の発明は、請求項１〜５のいずれかに記載の開閉式テントにおいて、固定フレームと可動フレームはベースフレームに対して着脱自在に設けられており、保管時には幕体を取り外して、これら各フレームを分解状態で保管し得るように構成したことを特徴とする開閉式テントである。
【００１０】
【発明の実施の形態】
以下、本発明の実施の形態について説明する。
開閉式テント１の下部には平面視凹字形のベースフレーム３が設けられている。ベースフレーム３は後述する固定フレーム５及び可動フレーム７を支持する部材で、地面に対して水平に設置される。
ベースフレーム３の自由端と、屈曲部寄りの位置には斜辺を前方ないし後方に向けて側面視略直角三角形状の支持ブラケット９が左右に２組、計４個設けられている。支点ブラケット９は平板状の部材で後述する複数本の可動フレーム７の各々に対応した図示しない複数の回動穴が支点ブラケット９の斜辺に沿うように配設されている。
【００１１】
また、支点ブラケット９の上部には以下述べる固定フレーム５における垂直フレーム１３及び傾斜補強フレーム１５の下端を固定するための取付部１７が設けられている。
固定フレーム５には門型の２本の垂直フレーム１３と、２本の垂直フレーム１３の上部側方を保持する水平補強フレーム１９が左右１本ずつ、計２本と、水平補強フレーム１９と支点ブラケット９とを連接する筋交い様の作用をする傾斜補強フレーム１５が左右２本ずつ計４本設けられている。
傾斜補強フレーム１５は上部が中央寄りに傾くように取り付けられており、水平補強フレーム１９と共に鳥居様の形状を呈している。これら各部材間の固定はボルト、ナット２１によって行なわれ、分解可能な構造になっている。
【００１２】
可動フレーム７も固定フレーム５における垂直フレーム１３と同様、門型形状をしており、固定フレーム５の前面側と後面側に４本ずつ計８本設けられている。可動フレーム７の下端は支点ブラケット９に形成されている回動穴に対してボルト、ナット２１を多少緩めに締め付けることで、このボルト、ナット２１を回動支点として回動自在に取り付けられている。
これらの可動フレーム７は収納時にはすべて上方に向けて回動され、図３に示すように収縮状態にして固定フレーム５における垂直フレーム１３に沿わせた状態とする。一方、使用時には各可動フレーム７が下方に向けて回動され、適宜の角度に傾いて図２に示すように展開状態になって最も下端に位置する幾分太めの可動フレーム７を地面に接した状態とする。
またこの幾分太めの可動フレーム７には、可動フレーム７を回動させる際の手掛かりとなる把手１１が設けられている。
【００１３】
幕体２３は防水性や耐久性等に優れた材料によって形成される弛緩性を有するシート状の部材であり、固定フレーム５を覆い隠すように張設される固定部２５と、可動フレーム７を覆い隠すように張設される可動部２７とから成っている。
固定部２５は門型形状をしており、その側部中央には開閉式テント１への出入り等の際に使用するスリット２６が形成されている。尚、このスリット２６はファスナやホック等によって開閉自在に連結されている。
可動部２７は収納時には可動フレーム７の上方への回動に伴って蛇腹状に折り畳まれて、幕体２３全体で固定部２５に馴染んだ門型形状となる。
【００１４】
一方、使用時には可動部２７は可動フレーム７の下方への回動に伴って扇を広げたように展開状態になる。これにより固定部によって形成される側面視矩形状の収納空間Ａの前後に側面視扇形状の拡張空間Ｂが形成される。
幕体２３には固定紐２９が多数取り付けられており、この固定紐２９を利用して固定フレーム５や可動フレーム７等に対して固定される。また可動フレーム７の収縮状態及び展開状態を保持する場合等に使用する固定ロープ３１が設けられている。
【００１５】
開閉式テント１は所望の設置個所に単に置くだけで設置が完了し、必要に応じて重りとなる石等をベースフレーム３の上に載置するだけで更に頑強な固定が図られる。
収納時には可動フレーム７を、すべて上方に回動させて収縮状態とするだけの操作で固定フレーム５とほぼ同じ大きさに開閉式テント１をコンパクトに収納できる。また使用時には可動フレーム７の自重を利用して下方に回動させて展開状態とするだけの操作で、固定フレーム５による収納空間Ａの前後に拡張空間Ｂが形成され、外部との遮蔽も図られる。
また保管時には幕体２３を取り外し、固定フレーム５と可動フレーム７を分解すれば更にコンパクトになって、非常時等の使用に備えて物置等に収納し保管することが可能となる。
【００１６】
以上、本発明の実施の形態について詳述してきたが、具体的な構成はこの実施の形態に限られるものではなく、本発明の要旨を逸脱しない範囲における設計の変更などがあっても本発明に含まれる。
例えば、開閉式テント１の使用形態としては、非常時等の仮設テントや車庫あるいは物置等に使用できる他、幕体２３として透明なビニール系の素材を適用することで、開閉式の温室として使用することも可能であるし、トラック等の荷台の幌として使用することも可能である。
【００１７】
また、ベースフレーム３は凹字形に限らず、Ｕ字形やハーフリング形状あるいは台形状のものであってもよいし、左右に２本直線状のベースフレーム３を配しただけの構成であってもよい。同様に固定フレーム５における垂直フレーム１３と可動フレーム７も門型形状に限らず、アーチ型や台形状あるいはこれ以外の多角形状のものであっても構わない。
また支持ブラケット９も直角三角形状に限らず、直角三角形の上部を水平にカットした台形状のものであってもよいし、扇形状のものであってもよい。また２本の傾斜補強フレーム１５をＸ字状に交差させた通常の筋交いと同様の構成を採用することも可能である。
この他、ベースフレーム３の下面に移動用のキャスタや傾斜地等でも設置できるアジャスタ等を設けることも可能であるし、固定部２５の前方あるいは後方のいずれか一方のみに可動部２７を設けるようにすることも勿論可能である。
なお、ベースフレーム３に跨るように嵌合する形状のコンクリートブロックを製作し、このコンクリートブロックをベースフレーム３上に載置すれば、開閉式テント１がより安定し、強風等を受けても倒れるのをより確実に防止することができる。
【００１８】
【発明の効果】
本発明によれば、誰でも短時間で簡単、確実に開閉式テントを設営でき、設営個所を選ばず、あらゆる個所に開閉式テントを設営できる。また可動部の開閉操作も極めて簡単であり、ボルト、ナットを外せば開閉式テントは分解可能で極めてコンパクトな形態となる。
【図面の簡単な説明】
【図１】本発明の実施の形態に係る開閉式テントを示す斜視図である。
【図２】図１の開閉式テントの使用時の状態を示す側断面図である。
【図３】図１の開閉式テントの収納時の状態を示す側断面図である。
【図４】図２において支点ブラケット周辺を拡大して示す側面図である
【図５】従来の仮設テントの種々の形態を示す斜視図である。
【符号の説明】
１　　　　　開閉式テント
３　　　　　ベースフレーム
５　　　　　固定フレーム
７　　　　　可動フレーム
９　　　　　支点ブラケット
１１　　　　把手
１３　　　　垂直フレーム
１５　　　　傾斜補強フレーム
１７　　　　取付部
１９　　　　水平補強フレーム
２１　　　　ボルト、ナット
２３　　　　幕体
２５　　　　固定部
２６　　　　スリット
２７　　　　可動部
２９　　　　固定紐
３１　　　　固定ロープ
Ａ　　　　　収納空間
Ｂ　　　　　拡張空間
【図１】
2004124486.tif 000003
【図２】
2004124486.tif 000004
【図３】
2004124486.tif 000005
【図４】
2004124486.tif 000006
【図５】
2004124486.tif 000007